(57)【要約】【課題】廃棄物の出ない、作業工程を短縮できる内装リフォーム方法を提供する。【解決手段】リフォーム対象となる既存の内装面上に、前記内装面に応じたプライマーを塗布してプライマー層を設け、該プライマー層上に水性塗料による塗料層を形成することを特徴とする内装リフォーム方法、リフォーム対象となる塩化ビニール製の既存の内装面上に、アクリルエマルジョン系プライマーを塗布してプライマー層を設け、該プライマー層上にアクリルエマルジョン系水性塗料による塗料層を形成することを特徴とする内装リフォーム方法、及びリフォーム対象となるポリオレフィン製の既存の内装面上に、ポリウレタン系プライマーを塗布してプライマー層を設け、該プライマー層上にアクリルエマルジョン系水性塗料による塗料層を形成することを特徴とする内装リフォーム方法。【選択図】        なし【特許請求の範囲】
【請求項１】
リフォーム対象となる既存の内装面上に、前記内装面に応じたプライマーを塗布してプライマー層を設け、該プライマー層上に水性塗料による塗料層を形成することを特徴とする内装リフォーム方法。
【請求項２】
リフォーム対象となる塩化ビニール製の既存の内装面上に、アクリルエマルジョン系プライマーを塗布してプライマー層を設け、該プライマー層上にアクリルエマルジョン系水性塗料による塗料層を形成することを特徴とする内装リフォーム方法。
【請求項３】
リフォーム対象となるポリオレフィン製の既存の内装面上に、ポリウレタン系プライマーを塗布してプライマー層を設け、該プライマー層上にアクリルエマルジョン系水性塗料による塗料層を形成することを特徴とする内装リフォーム方法。
【発明の詳細な説明】
【技術分野】
【０００１】
本発明は、住宅などの内装リフォームに適した内装リフォーム方法に関し、詳しくはリフォームの際の工程を短縮でき、廃棄物を発生させずに環境に優しい内装リフォーム方法に関する。
【背景技術】
【０００２】
従来、住宅の内装をリフォームする場合、既存の壁紙や塗装を剥離した後、新たに壁紙を貼り付けたり、塗装を施している。
【０００３】
しかし、近年、既存の壁紙や塗装を剥離した際に出る不用の壁紙や塗装残渣の処理に、環境配慮のためのコストを要するようになった。また、既存の壁紙や塗装を剥離する工程に時間を要し、工期が長期化する問題があった。
【０００４】
特許文献１には、壁紙を澱粉系接着剤で既存の内装壁面に貼着するに際して、この澱粉系接着剤と馴染みのよい下貼り紙を内装壁面に予め貼着することにより、リフォームの内装施工の場合でも、新たな下地壁を施工することなく、リフォーム前の既存の内装壁面上に澱粉系接着剤による壁紙の貼着を行う技術が開示されている。
【０００５】
しかし、この特許文献１の技術では、廃棄物の発生を防ぐことはある程度可能であるが、下貼り紙を内装壁面に予め貼着する作業を必要とし、リフォーム工程の短縮は実現出来なかった。
【特許文献１】特開２００１−１１５６２１号公報
【特許文献２】特開平７−４０８５号公報  プールの塗装方法
【発明の開示】
【発明が解決しようとする課題】
【０００６】
そこで、本発明の課題は、廃棄物の出ない、作業工程を短縮できる内装リフォーム方法を提供することにある。
【課題を解決するための手段】
【０００７】
上記課題は、以下の各発明によって解決される。
【０００８】
（請求項１）
リフォーム対象となる既存の内装面上に、前記内装面に応じたプライマーを塗布してプライマー層を設け、該プライマー層上に水性塗料による塗料層を形成することを特徴とする内装リフォーム方法。
【０００９】
（請求項２）
リフォーム対象となる塩化ビニール製の既存の内装面上に、アクリルエマルジョン系プライマーを塗布してプライマー層を設け、該プライマー層上にアクリルエマルジョン系水性塗料による塗料層を形成することを特徴とする内装リフォーム方法。
【００１０】
（請求項３）
リフォーム対象となるポリオレフィン製の既存の内装面上に、ポリウレタン系プライマーを塗布してプライマー層を設け、該プライマー層上にアクリルエマルジョン系水性塗料による塗料層を形成することを特徴とする内装リフォーム方法。
【発明の効果】
【００１１】
本発明によると、リフォーム対象となる既存の内装面上に、前記内装面に応じたプライマーを塗布してプライマー層を設け、該プライマー層上に水性塗料による塗料層を形成することにより、廃棄物の出ない、作業工程を短縮できる内装リフォーム方法をできる。
【発明を実施するための最良の形態】
【００１２】
次に、発明を実施するための最良の形態を挙げて本発明をさらに詳細に説明する。
【００１３】
本発明における既存の内装面とは、リフォーム対象となる住宅などの内壁あるいは天井などをいう。既存の内装面には、壁紙が貼着されていたり、塗装面が形成されており、これらの既存の壁紙や塗装面をリフォームするのが本発明の内装リフォーム方法である。
【００１４】
本発明では、既存の内装面は、相当年数が経過したものでもよいし、また形状は平面形状でも凹凸形状であってもよい。さらに既存の内装面には、一部破けたりあるいは欠損したりした部位が存在していてもよく、その場合には、その破けた部位や欠損した部位を補修したのち本発明のリフォーム方法を施すことができる。更に前処理として必要により水洗い、脱脂処理などを施すこともできる。
【００１５】
既存の内装の材質として、塩化ビニール、ポリオレフィン、コンクリート、漆喰、土、木材等が挙げられる。
【００１６】
本発明においては、既存の内装材質に応じて、プライマーを選択するのが一つの特徴である。
【００１７】
既存の内装材質が、塩化ビニール製の場合、プライマーとしてアクリルエマルジョン系、コロイダルシリカ系、ポリウレタン系を選択使用することが好ましい。
【００１８】
既存の内装材質が、ポリオレフィン樹脂製の場合、プライマーとしてポリウレタン系、ホットメルト系、エポキシ樹脂系を選択使用することが好ましい。
【００１９】
既存の内装材質が、コンクリート製の場合、プライマーとしてコロイダルシリカ系、エポキシ樹脂系、ポリウレタン系を選択使用することが好ましい。
【００２０】
既存の内装材質が、漆喰の場合、プライマーとしてエポキシ変性特殊カチオン系、エチレン酢酸ビニル（ＥＶＡ）系、メチルセルロース（ＭＣ）系、スチレンブタジエン（ＳＢＲ）系を選択使用することが好ましい。
【００２１】
既存の内装材質が、土の場合、プライマーとしてウレタン変性アクリルエマルジョン系、セメント系、アクリルカチオン系、エポキシエマルジョン系を選択使用することが好ましい。
【００２２】
プライマー層を形成する方法は、刷毛塗り、ロール塗布、スプレーなどの各種塗布法を採用出来る。プライマー層の厚みは特に限定されない。
【００２３】
次に、本発明では、プライマー層上に塗料層を形成するが、その際に塗料として水性塗料を用いると、塗装作業環境上好ましく、そしてシックハウス対策ともなり好ましい。
【００２４】
水性塗料としては、アクリルエマルジョン系、水溶性アクリル系が好ましく、更にフォースター（四つ星）取得品の塗料が好ましい。
【００２５】
水性塗料を塗布する方法は、刷毛塗り、ロール塗布、スプレーなどの各種塗布法を採用出来る。塗料層の厚みは特に限定されない。
【００２６】
本発明において、塗料層には、上記水性塗料以外に、居住性向上付与を可能にする炭、光触媒、天然鉱石、多孔質材料等の機能材の微粒子を含有させることも好ましい。
【００２７】
炭には木炭、竹炭、貝炭等があり、特に竹炭を用いる場合には、マイナスイオン効果、遠赤外線効果等によりカビ、ダニ等の発生を防ぐ防黴・防虫作用、アンモニア、ホルムアルデヒド等の有害物質を吸着する脱臭作用を有する。
【００２８】
光触媒の代表として酸化チタンが挙げられる。光触媒酸化チタンは強い酸化力で有機物を分解する消臭作用および抗菌作用を有するので好ましい。
【００２９】
天然鉱石としては、トルマリン、麦飯石、黒曜石等が挙げられる。中でもトルマリンは、マイナスイオン、遠赤外線を発生することにより、ヒトや動植物に悪影響を与えるプラスイオンを中和し室内空間を快適な環境に保つことができるので好ましい。
【００３０】
本発明の水性塗料には、上記以外に、必要に応じて界面活性剤、防腐剤、防藻剤、防黴剤、消泡剤、増粘剤、香料などを添加してもよい。
【実施例】
【００３１】
以下に実施例を挙げて本発明をさらに具体的に説明するが、本発明はこれらにより限定されるものではない。
【００３２】
実施例１
住宅の既存の内装面は、平板（平面状）の上に塩化ビニール製壁紙が張られ、５年が経過していた。
【００３３】
上記の塩化ビニール製壁紙を剥がすことなく、その上に、アクリルエマルジョン系プライマー（関西ペイント株式会社製、商品名「クロステックシーラー」）をロール塗布し、乾燥させて５０μの厚みのプライマー層を形成した。
【００３４】
上記のプライマー層上に、アクリルエマルジョン系水性塗料（大日精化工業株式会社製、商品名「イオンハイブリッド塗料ＬＣ−１０００」）を塗布・乾燥して１８０μの厚みの塗料層を形成した。
【００３５】
上記のリフォームについて、居住者モニター５人の評価により、古い壁紙の存在が認識できるか否か、リフォームの結果について満足出来るか否か評価した。その結果、５人とも古い壁紙の存在が認識できないとの評価であり、また４人が満足できるとの評価であった。また、５人ともリフォーム期間が短くて満足できるとの評価であった。
【００３６】
実施例２
住宅の既存の内装面は、エンボス加工（凹凸状）されたポリエチレン製壁紙が張られ、９年が経過していた。
【００３７】
上記のポリエチレン製壁紙を剥がすことなく、その上に、ポリウレタン系プライマー（大日精化工業株式会社製、商品名「ダイプラコートＡＱＢ−６３６１ホワイト」）をロール塗布し、乾燥させて５０μの厚みのプライマー層を形成した。
【００３８】
上記のプライマー層上に、実施例１で用いたアクリルエマルジョン系水性塗料を塗布・乾燥して１８０μの厚みの塗料層を形成した。
【００３９】
上記のリフォームについて、居住者モニター５人の評価により、古い壁紙の存在が認識できるか否か、リフォームの結果について満足出来るか否か評価した。その結果、５人とも凹凸面は認識できるが古い壁紙の存在が認識できないとの評価であり、また５人が満足できるとの評価であった。また、５人ともリフォーム期間が短くて満足できるとの評価であった。
【００４０】
実施例３
住宅の既存の内装面は、漆喰製壁であり、１０年が経過していた。
【００４１】
上記の漆喰を剥がして補修することなく、その上に、浸透性が有り通気性のあるエポキシ変性特殊カチオン系のプライマー（エスケー化研株式会社製、商品名「水性ミラクシーラーエコ」）をロール塗布し、乾燥させて５０μの厚みのプライマー層を形成した。
【００４２】
上記のプライマー層上に、実施例１で用いたアクリルエマルジョン系水性塗料を塗布・乾燥して１８０μの厚みの塗料層を形成した。
【００４３】
上記のリフォームについて、居住者モニター５人の評価により、リフォームの結果について満足出来るか否か評価した。その結果、５人とも満足できるとの評価であった。また、５人ともリフォーム期間が短くて満足できるとの評価であった。
【００４４】
実施例４
住宅の既存の内装面は、土製壁であり、７年が経過していた。
【００４５】
上記の土製壁を剥がして補修することなく、その上に、特殊ウレタン変性アクリルエマルジョン系プライマー（スズカファイン株式会社製、商品名「サミプラホワイト」）をロール塗布し、乾燥させて５０μの厚みのプライマー層を形成した。
【００４６】
上記のプライマー層上に、実施例１で用いたアクリルエマルジョン系水性塗料を塗布・乾燥して１８０μの厚みの塗料層を形成した。
【００４７】
上記のリフォームについて、居住者モニター５人の評価により、リフォームの結果について満足出来るか否か評価した。その結果、５人とも満足できるとの評価であった。また、５人ともリフォーム期間が短くて満足できるとの評価であった。